【事件の表示】
　特許第３２４３２４３号「洗濯機」の請求項１に係る特許に対する特許異議の申立てについて、次のとおり決定する。
【結　論】
　訂正を認める。
　特許第３２４３２４３号の請求項１に係る特許を維持する。
【理　由】
１．訂正の適否
(1) 訂正の内容
　ア．訂正事項ａ
　　特許請求の範囲の請求項１において、
「前記呼び水が前記風呂水吸水ポンプの呼び水口に導かれることを特徴とする洗濯機洗濯機。」とある記載を、
「前記呼び水が
呼び水供給口を介して
、前記水道水給水用電磁弁の吐出口と前記呼び水供給口とは、一定の空間距離を持って形成されてい
る洗
　イ．訂正事項ｂ
　　明細書の段落【００１２】中の、
「前記呼び水が前記風呂水吸水ポンプの呼び水口に導かれることを特徴とするものである。」とある記載を、
「前記呼び水が
呼び水供給口を介して
、前記水道水給水用電磁弁の吐出口と前記呼び水供給口とは、一定の空間距離を持って形成されてい
　
(2) 訂正の目的の適否、新規事項の有無及び拡張・変更の存否
　上記訂正事項ａは、呼び水の供給構造を明細書に記載された実施例に基いて特定すると共に、末尾の重複記載を正すものであるから、特許請求の範囲の減縮及び誤記の訂正を目的とした明細書の訂正に該当する。
　また、上記訂正事項ｂは、上記訂正事項ａとの整合を図るものであるから、明りょうでない記載の釈明を目的とした明細書の訂正に該当する。
　そして、上記いずれの訂正事項も、新規事項の追加に該当せず、課題に変更を及ぼすものでもないから、実質上特許請求の範囲を拡張し、又は変更するものでもない。
　
(3) むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書及び第２項の規定に適合するので、当該訂正を認める。
　
２．特許異議の申立てについての判断
(1) 本件発明
　上記のとおり、訂正は認められるから、本件特許の請求項１に係る発明（以下、「本件発明」という。）は、訂正された特許明細書に記載された次のとおりのものである。
「撹拌翼を備える洗濯槽と、洗濯用モータと、前記洗濯槽より上方位置で風呂水を吸水ホースを通して吸い上げる風呂水吸水ポンプと、水道水給水用電磁弁とを有し、前記風呂水吸水ポンプから吐出する風呂水や前記水道水給水用電磁弁から吐出する水道水を前記洗濯槽の上方から注水口を介して洗濯槽内に給水し、前記洗濯用モータにより前記撹拌翼や前記洗濯槽を回転駆動して洗濯、すすぎ、脱水を行う洗濯機であって、
　前記風呂水吸水ポンプは、風呂水吸水ホースの接続口を兼ねる吸水口と、ポンプランナを備えたランナ室と、前記ランナ室の吸込み側に設けた吸込み室と、前記ランナ室の吐出側に設けた気水分離機能を有する吐出室と、吐出口と、ポンプ内に呼び水を呼び込むための呼び水口と、前記ポンプランナを回転駆動するポンプ駆動用モータとを備え、前記ポンプランナの回転駆動により前記吸水口から吸水される風呂水を前記吸込み室，ランナ室，吐出室を通して吐出口から吐出するように構成し、
　かつ、前記吐出口と呼び水口は前記吐出室の上部に連通し、前記風呂水吸水口は、上端部が前記吐出口及び呼び水口より高い位置にあり、
　前記呼び水口の径を前記吐出口の径よりも小さくし、前記水道水給水用電磁弁の吐出口から吐出した水が、前記水道水給水用電磁弁の吐出口の下流で前記洗濯槽に導かれる水と呼び水とに分けられ、前記呼び水が呼び水供給口を介して前記風呂水吸水ポンプの呼び水口に導かれ、前記水道水給水用電磁弁の吐出口と前記呼び水供給口とは、一定の空間距離を持って形成されていることを特徴とする洗濯機。」
　
(2) 異議申立人提出の証拠及び取消理由通知で引用された刊行物に記載された発明
　ア．刊行物１（特開平６−２３１９０号公報、甲第３号証）
　　上記刊行物１には、「洗濯槽と、洗濯用モータと、前記洗濯槽より上方位置で風呂水をホースを通して吸い上げるポンプ手段と、水道からの水の供給を開始及び停止させるための電磁弁とを有し、前記ポンプ手段から吐出する風呂水や前記電磁弁から吐出する水道水を前記洗濯槽の上方から洗濯槽内に給水を行う家庭用自動洗濯機であって、前記ポンプ手段は、ホースの接続口を兼ねる給水管接続部と、洗濯槽への吐出口と、ポンプ内に呼び水を呼び込むための呼び水の供給口と、前記ポンプ手段により前記給水管接続部から吸水される風呂水を吐出口から吐出するように構成し、かつ、前記給水管接続部は、上端部が前記吐出口及び呼び水の供給口より高い位置にあり、前記電磁弁の吐出口から吐出した水が、前記電磁弁の吐出口の下流で前記洗濯槽に導かれる水と呼び水とに分けられ、前記呼び水が前記ポンプ手段の呼び水の供給口に導かれるように構成した洗濯機」の発明が記載されている。
　
　イ．刊行物２（特開平２−１６１１９５号公報、甲第２号証）
　　上記刊行物２には、「渦巻ポンプが、吸込管と、羽根車を備えた渦巻室と、前記渦巻室の吸込み側に設けた吸込側前室と、前記渦巻室の吐出側に設けた吐出側後室と、吐出口と、ポンプ内に呼び水を呼び込むための呼び水注入孔と、前記羽根車を回転駆動するポンプモータとを備え、前記羽根車の回転駆動により前記吸込管から吸水される水を前記吸込側前室，渦巻室，吐出側後室を通して吐出口から吐出するように構成され、かつ、前記呼び水注入孔の径を前記吐出口の径よりも小さくしている構成」及び「渦巻ポンプにおいて、羽根車の吐出側後室の上部に呼び水注入用の口が設けられている構成」が記載されている。
　
　ウ．刊行物３（特開昭５７−６９８９６号公報）
　　上記刊行物３には、「自動洗濯機の給水装置において、洗濯槽の上部開口端近傍に配設した給水口を介して、給水パイプからの風呂水と給水電磁弁からの水道水が洗濯槽内に給水されるようにした構成」が記載されている。
　
　エ．刊行物４（特開昭５７−１９２５９５号公報、甲第１号証）
　　上記刊行物４には、「撹拌翼を備える洗濯槽と、洗濯用モータと、前記洗濯槽より上方位置で風呂水を吸水ホースを通して吸い上げる風呂水吸水ポンプと、水道水給水用電磁弁とを有し、前記風呂水吸水ポンプから吐出する風呂水や前記水道水給水用電磁弁から吐出する水道水を前記洗濯槽の上方から注水口を介して洗濯槽内に給水し、前記洗濯用モータにより前記撹拌翼や前記洗濯槽を回転駆動して洗濯、すすぎ、脱水を行う洗濯機であって、前記ポンプの風呂水吸水口は、上端部が前記ポンプの吐出口及び呼び水口より高い位置にある洗濯機」の発明が記載されている。
　
　オ．刊行物５（特開平２−３３４８７号公報、甲第４号証）
　　上記刊行物５には、「ポンプ本体の吐出口から吐出された水が、気水分離室内の壁に当たって上下に分かれ、呼び水口と吐出側管とに分かれて吐出するようにした自吸式ポンプ」の発明が記載されている。
　
(3) 対比・判断
　ア．一致点・相違点の認定
　　本件発明と刊行物１に記載された発明とを対比すると、両者は、
「撹拌翼を備える洗濯槽と、洗濯用モータと、前記洗濯槽より上方位置で風呂水を吸水ホースを通して吸い上げる風呂水吸水ポンプと、水道水給水用電磁弁とを有し、前記風呂水吸水ポンプから吐出する風呂水や前記水道水給水用電磁弁から吐出する水道水を前記洗濯槽の上方から洗濯槽内に給水し、前記洗濯用モータにより前記撹拌翼や前記洗濯槽を回転駆動して洗濯、すすぎ、脱水を行う洗濯機であって、
　前記風呂水吸水ポンプは、風呂水吸水ホースの接続口を兼ねる吸水口と、吐出口と、ポンプ内に呼び水を呼び込むための呼び水口と、ポンプ駆動用モータとを備え、前記ポンプの駆動により前記吸水口から吸水される風呂水を吐出口から吐出するように構成し、
　かつ、前記風呂水吸水口は、上端部が前記吐出口及び呼び水口より高い位置にあり、
　前記水道水給水用電磁弁の吐出口から吐出した水が、前記水道水給水用電磁弁の吐出口の下流で前記洗濯槽に導かれる水と呼び水とに分けられ、前記呼び水が前記風呂水吸水ポンプの呼び水口に導かれる洗濯機」、
である点で一致するが、まず下記の点で相違している。
　本件発明では、「水道水給水用電磁弁の吐出口と呼び水供給口とは、一定の空間距離を持って形成されている」構成であるのに対し、刊行物１に記載された発明においては、その構成を備えていない点。
　
　イ．相違点の判断
　　上記相違点について検討するに、刊行物２〜５にも、上記の構成は記載されておらず、また、これらの刊行物の記載から上記の構成は自明の事項であるともいえない。
　そして、本件発明は上記の構成を有することにより、「風呂水の水道管への逆流のない安全な方式となる」という特許明細書に記載の効果を奏するものである。
　したがって、本件発明と刊行物１に記載された発明との他の相違点についての検討、判断を示すまでもなく、本件発明は、前記の各刊行物に記載された発明に基いて当業者が容易に発明をすることができたものとすることはできない。
　
(4) むすび
　以上のとおりであるから、特許異議申立の理由及び証拠によっては本件発明についての特許を取り消すことはできない。
　また、他に本件発明についての特許を取り消すべき理由を発見しない。
　したがって、本件発明についての特許は、拒絶の査定をしなければならない特許出願に対してされたものと認めない。
　よって、特許法等の一部を改正する法律（平成６年法律第１１６号）附則第１４条の規定に基づく、特許法等の一部を改正する法律の一部の施行に伴う経過措置を定める政令（平成７年政令第２０５号）第４条第２項の規定により、結論のとおり決定する。
【異議決定日】
平成１５年５月２０日（２００３．５．２０）
【訂正の要旨】
ａ．明細書の特許請求の範囲の請求項１を以下のように訂正する（アンダーラインが訂正箇所である）。
「【請求項１】　攪拌翼を備える洗濯槽と、洗濯用モータと、前記洗濯槽より上方位置で風呂水を吸水ホースを通して吸い上げる風呂水吸水ポンプと、水道水給水用電磁弁とを有し、前記風呂水吸水ポンプから吐出する風呂水や前記水道水給水用電磁弁から吐出する水道水を前記洗濯槽の上方から注水口を介して洗濯槽内に給水し、前記洗濯用モータにより前記攪拌翼や前記洗濯槽を回転駆動して洗濯、すすぎ、脱水を行う洗濯機であって、
　前記風呂水吸水ポンプは、風呂水吸水ホースの接続口を兼ねる吸水口と、ポンプランナを備えたランナ室と、前記ランナ室の吸込み側に設けた吸込み室と、前記ランナ室の吐出側に設けた気水分離機能を有する吐出室と、吐出口と、ポンプ内に呼び水を呼び込むための呼び水口と、前記ポンプランナを回転駆動するポンプ駆動用モータとを備え、前記ポンプランナの回転駆動により前記吸水口から吸水される風呂水を前記吸込み室，ランナ室，吐出室を通して吐出口から吐出するように構成し、
　かつ、前記吐出口と呼び水口は前記吐出室の上部に連通し、前記風呂水吸水口は、上端部が前記吐出口及び呼び水口より高い位置にあり、
　前記呼び水口の径を前記吐出口の径よりも小さくし、前記水道水給水用電磁弁の吐出口から吐出した水が、前記水道水給水用電磁弁の吐出口の下流で前記洗濯槽に導かれる水と呼び水とに分けられ、前記呼び水が
呼び水供給口を介して
、前記水道水給水用電磁弁の吐出口と前記呼び水供給口とは、一定の空間距離を持って形成されてい
ｂ．上記特許請求の範囲の訂正に伴い明細書の段落【００１２】の記載を次のように訂正する。
「【００１２】
　【課題を解決するための手段】
　前記目的を達成するため、本発明は、攪拌翼を備える洗濯槽と、洗濯用モータと、前記洗濯槽より上方位置で風呂水を吸水ホースを通して吸い上げる風呂水吸水ポンプと、水道水給水用電磁弁とを有し、前記風呂水吸水ポンプから吐出する風呂水や前記水道水給水用電磁弁から吐出する水道水を前記洗濯槽の上方から注水口を介して洗濯槽内に給水し、前記洗濯用モータにより前記攪拌翼や前記洗濯槽を回転駆動して洗濯、すすぎ、脱水を行う洗濯機であって、
　前記風呂水吸水ポンプは、風呂水吸水ホースの接続口を兼ねる吸水口と、ポンプランナを備えたランナ室と、前記ランナ室の吸込み側に設けた吸込み室と、前記ランナ室の吐出側に設けた気水分離機能を有する吐出室と、吐出口と、ポンプ内に呼び水を呼び込むための呼び水口と、前記ポンプランナを回転駆動するポンプ駆動用モータとを備え、前記ポンプランナの回転駆動により前記吸水口から吸水される風呂水を前記吸込み室，ランナ室，吐出室を通して吐出口から吐出するように構成し、
　かつ、前記吐出口と呼び水口は前記吐出室の上部に連通し、前記風呂水吸水口は、上端部が前記吐出口及び呼び水口より高い位置にあり、
　前記呼び水口の径を前記吐出口の径よりも小さくし、前記水道水給水用電磁弁の吐出口から吐出した水が、前記水道水給水用電磁弁の吐出口の下流で前記洗濯槽に導かれる水と呼び水とに分けられ、前記呼び水が
呼び水供給口を介して
、前記水道水給水用電磁弁の吐出口と前記呼び水供給口とは、一定の空間距離を持って形成されてい
（５４）【発明の名称】
洗濯機
（５７）【特許請求の範囲】
　【請求項１】　攪拌翼を備える洗濯槽と、洗濯用モータと、前記洗濯槽より上方位置で風呂水を吸水ホースを通して吸い上げる風呂水吸水ポンプと、水道水給水用電磁弁とを有し、前記風呂水吸水ポンプから吐出する風呂水や前記水道水給水用電磁弁から吐出する水道水を前記洗濯槽の上方から注水口を介して洗濯槽内に給水し、前記洗濯用モータにより前記攪拌翼や前記洗濯槽を回転駆動して洗濯、すすぎ、脱水を行う洗濯機であって、
　前記風呂水吸水ポンプは、風呂水吸水ホースの接続口を兼ねる吸水口と、ポンプランナを備えたランナ室と、前記ランナ室の吸込み側に設けた吸込み室と、前記ランナ室の吐出側に設けた気水分離機能を有する吐出室と、吐出口と、ポンプ内に呼び水を呼び込むための呼び水口と、前記ポンプランナを回転駆動するポンプ駆動用モータとを備え、前記ポンプランナの回転駆動により前記吸水口から吸水される風呂水を前記吸込み室，ランナ室，吐出室を通して吐出口から吐出するように構成し、
　かつ、前記吐出口と呼び水口は前記吐出室の上部に連通し、前記風呂水吸水口は、上端部が前記吐出口及び呼び水口より高い位置にあり、
　前記呼び水口の径を前記吐出口の径よりも小さくし、前記水道水給水用電磁弁の吐出口から吐出した水が、前記水道水給水用電磁弁の吐出口の下流で前記洗濯槽に導かれる水と呼び水とに分けられ、前記呼び水が
呼び水供給口を介して
、前記水道水給水用電磁弁の吐出口と前記呼び水供給口とは、一定の空間距離を持って形成されてい
【発明の詳細な説明】
　【０００１】
　【発明の属する技術分野】
　本発明は給水，洗い，濯ぎ，脱水等の工程を自動的に遂行する全自動洗濯機に係り、さらに詳細には、風呂水吸水ポンプを備えた全自動洗濯機に関する。
　【０００２】
　【従来の技術】
　風呂の残り湯を洗濯水に利用して水道水の節水を図ることが従来から行われている。
　【０００３】
　そして、風呂水を給水するための手段として、投げ込み式の風呂水吸水ポンプを浴槽内に入れ、このポンプを介して浴槽内の水を洗濯槽内に送水するタイプのものがある。
　【０００４】
　また、他の例として、洗濯機に風呂水吸水ポンプを内蔵し、このポンプを介して浴槽内の水を洗濯槽内に送水するタイプのものもある。この場合使用されるポンプは、当然自吸水式のポンプとなり、呼び水の方式については１回目の呼び水を行うと、ポンプに内蔵した逆止弁により呼び水がポンプの吸い込み側へ戻らない構造としている。
　【０００５】
　なお、洗濯機に風呂水吸水ポンプを内蔵し、このポンプを介して浴槽内の水を洗濯槽内に送水する先行技術としては、例えば特開昭５７−１１７８９４号公報，特開昭５７−１１７８９５号公報、および特開平６−２３１９０号公報等を挙げることができる。
　【０００６】
　【発明が解決しようとする課題】
　しかし、投げ込み式の風呂水吸水ポンプを利用する場合は、ホースとリード線とが絡み合い、作業性，収納性共に悪いという点で難点がある。
　【０００７】
　一方、洗濯機に風呂水吸水ポンプを内蔵するタイプのものは、従来一般に、洗濯機の下方にポンプを設置するようにしており、呼び水タンクを必要とするばかりでなく、洗濯機下方のポンプから洗濯槽開口部に至る配管長も長くなり、その分コストアップの原因となる。また、呼び水については、逆止弁組立て不良や逆止弁にごみや髪の毛が挾まった場合には、呼び水はサイホン現象により、吸水ホースを通って逆流してしまい、吸水ポンプ使用の度に、呼び水を行う必要が生じる。
　【０００８】
　なお、前掲の特開昭５７−１１７８９４号および特開昭５７−１１７８９５号公報には、呼び水タンクを不要とした風呂水吸水ポンプ付の洗濯機が提案されているが、その場合であってもポンプは洗濯機の下方に設けられている。
　【０００９】
　また、前掲の特開平６−２３１９０号公報にも呼び水タンクを不要とした風呂水吸水ポンプ付の洗濯機が提案されている。
　【００１０】
　しかし、同公報には、非常に簡略化された図が掲載されているのみであって、またその文中にもポンプが洗濯機のどの部分に組み込まれているかの具体的説明がなく、先の２公知例と同様、ポンプは洗濯機の下方に設置されるのか、あるいはそれ以外の個所に設置されるのか一切不明であり、ポンプを洗濯機の下方に設置した場合に特有の効果を示唆する記載も一切開示されていない。また、呼び水に対する具体的な方式の開示もない。
　【００１１】
　本発明は、風呂水吸水ポンプの呼び水の具体的方式を提供するものであって、その目的とするところは、従来に比べて、洗濯機の使い初めにおいても、使用者が呼び水を行う必要がなく、万一逆止弁の取付け不良や、異物の挾まりなどで呼び水がなくなっても自動的に呼び水を行いポンプ運転に支障がなく、使い勝手の良い風呂水吸水ポンプ付の全自動洗濯機を提供することにある。
　【００１２】
　【課題を解決するための手段】
　前記目的を達成するため、本発明は、前記目的を達成するため、本発明は、攪拌翼を備える洗濯槽と、洗濯用モータと、前記洗濯槽より上方位置で風呂水を吸水ホースを通して吸い上げる風呂水吸水ポンプと、水道水給水用電磁弁とを有し、前記風呂水吸水ポンプから吐出する風呂水や前記水道水給水用電磁弁から吐出する水道水を前記洗濯槽の上方から注水口を介して洗濯槽内に給水し、前記洗濯用モータにより前記攪拌翼や前記洗濯槽を回転駆動して洗濯、すすぎ、脱水を行う洗濯機であって、
　前記風呂水吸水ポンプは、風呂水吸水ホースの接続口を兼ねる吸水口と、ポンプランナを備えたランナ室と、前記ランナ室の吸込み側に設けた吸込み室と、前記ランナ室の吐出側に設けた気水分離機能を有する吐出室と、吐出口と、ポンプ内に呼び水を呼び込むための呼び水口と、前記ポンプランナを回転駆動するポンプ駆動用モータとを備え、前記ポンプランナの回転駆動により前記吸水口から吸水される風呂水を前記吸込み室，ランナ室，吐出室を通して吐出口から吐出するように構成し、
　かつ、前記吐出口と呼び水口は前記吐出室の上部に連通し、前記風呂水吸水口は、上端部が前記吐出口及び呼び水口より高い位置にあり、
　前記呼び水口の径を前記吐出口の径よりも小さくし、前記水道水給水用電磁弁の吐出口から吐出した水が、前記水道水給水用電磁弁の吐出口の下流で前記洗濯槽に導かれる水と呼び水とに分けられ、前記呼び水が
呼び水供給口を介して
、前記水道水給水用電磁弁の吐出口と前記呼び水供給口とは、一定の空間距離を持って形成されてい
　【００１３】
　そして、本発明によれば、風呂水吸水ポンプ運転の前、或いは運転と同時に給水電磁弁からポンプケーシング内に自動的に呼び水を行うため、逆止弁の性能不良により、ポンプケーシング内の呼び水が少なくなっても、使用者が呼び水を追加することなく、風呂水吸水運転を実行できるものである。
　【００１４】
　また、洗いの風呂水吸水，すすぎの風呂水吸水等全ての風呂水吸水運転時に自動呼び水動作を行わせるようにしているので、洗いとすすぎ行程の間で逆止弁に不具合が発生した場合にも、支障なく風呂水吸水を行うことが出来るものである。
　【００１５】
　さらに、自動呼び水を行う給水電磁弁の吐出口と呼び水供給口とは一定の空間距離を持って形成しているため、風呂水吸水ポンプ運転時、呼び水ホースからでてくる、風呂水が給水弁を通って水道配管に逆流することを防止できる。
　【００１６】
　【発明の実施の形態】
　以下、本発明を、図面の一実施例にもとづいて説明すると、図１において、１は洗濯機のトップカバー、２は洗濯機の運転を制御するコントローラで、コントローラ２は、トップカバー１の前方に内蔵され、タイマー機能を有するマイクロコンピュータ等で構成されている。
　【００１７】
　３は洗濯機の運転内容を作業者が外部から指示するメンブレンスイッチである。
　【００１８】
　４はトップカバーの中央部に大きく開口した洗濯物投入口６を覆う蓋で、支点５を軸にして上方に開くものである。
　【００１９】
　７は洗濯兼脱水槽（以下、洗濯槽と略称する）８と外槽９との間に洗濯物が落下するのを防止するカバーで、外槽９の上部に設けられている。
　【００２０】
　１０は洗濯槽８の壁面に穿設された脱水孔である。
　【００２１】
　１１はバランスリングで、洗濯槽８の上端に固着され、脱水運転時洗濯槽８に発生する振動の振幅を低減する。
　【００２２】
　外槽９は、吊り棒１２により外枠２１の上部に吊るされており、バネ１３を介挿することにより外槽９を弾性支持している。
　【００２３】
　１４は撹拌翼で、洗濯槽８の底部中央に回転自在に設置され、洗濯及びすすぎ時には、短時間周期で正逆転する。
　【００２４】
　１５はモータで、モータ１５の動力をモータプーリ１６，ベルト１７，従動プーリ１８，クラッチ・減速部１９を介して、洗濯，すすぎ時には撹拌翼１４を、また脱水時には洗濯槽８と撹拌翼１４とを共に駆動する。
　【００２５】
　２０は外枠２１を支承する脚部、２２は外槽９の底部に設けた排水孔で、排水孔２２の下流側には、コントローラ２からの指令で開閉する排水電磁弁２３と排水ホース２４とを有する。
　【００２６】
　２５はバックパネルであり、後述の風呂水吸水ポンプ２６及び給水電磁弁３１が内蔵されている。
　【００２７】
　２６はケーシングを抗菌剤入りの合成樹脂でケーシングを成形した風呂水吸水ポンプで、トップカバー１のバックパネル２５に内蔵されている。
　【００２８】
　２７は抗菌剤入りの風呂水吸水ホースで、その接続端はＯリング２８を介してポンプ２６の上面に設けた風呂水吸水口２６ａに着脱自在に装着される。
　【００２９】
　図２は、バックパネル２５を取り除いてその内部構造を示す図であって、１ａはトップカバー１に設けた、水道水を洗濯槽内に供給する注水口と風呂水供給の吸水口とを共用化した水道水注水口兼風呂水吸水口で、この水道水注水口兼風呂水吸水口１ａからはソフナーも投入される。
　【００３０】
　風呂水吸水ポンプ２６は、風呂水吸水口２６ａ，風呂水吐出管２６ｂを備えている。バックパネル２５内には、更に蓋スイッチ２９及び給水電磁弁３１を内蔵しており、給水電磁弁３１は、水道水蛇口へホースにより連通される水道水受入れ口３０を一体に設けている。
　【００３１】
　３３は呼び水供給口、３４は給水電磁弁３１から吐出された水道水の一部を風呂水吸水ポンプに呼び水として供給する呼び水ホースである。
　【００３２】
　風呂水吸水ポンプ２６の縦断面を示す図４において、４０は合成樹脂にて一体成形されたケーシングであって、ポンプランナーを収納するポンプケーシング部分とモータを収納するモータ保持部とポンプとモータとの形成されたカップリング収納部とを備えている。更に、ケーシング４０は、冷却用通水路４０ｅ，メカニカルシールからの漏水を排出する水抜き穴４０ｆ，蒸気抜き穴４０ｇ及び４０ｈ，排出室４０ｉ等を一体的に構成している。
　【００３３】
　４１はケーシング４０に組み合わせられるケーシングカバーであって、ケーシングカバーには、吸込室形成壁４１ｃ，吸込室４１ｄ等が一体に形成されている。
　【００３４】
　４２はポンプのランナーであり、ランナーシャフト４９の端部に固着される。４３はポンプモータでそのシャフト４３ａは、絶縁性材料で製作されたカップリング４５を介してランナーシャフト４９に接続される。４６はケーシングカバー吸込室４１ｄ内に設けられポンプ内の水が吸い込み側に流出するのを防止する逆止弁である。
　【００３５】
　ケーシング４０とケーシングカバー４１とのあいだには、仕切り板４４が介挿され、この仕切り板は、ランナー室と吸込室４１ｄとを区画し、ランナー４２の水込み口に一致して開口した吸い込み穴により両室が連通している。
　【００３６】
　４７はケーシング４０とケーシングカバー４１との接合面の機密を保つパッキングである。４８はポンプ室とカップリング室との水密を保つメカニカルシールである。
　【００３７】
　図５は、ケーシングカバー４１及び仕切り板４４を取り除いて示した正面図であり、ケーシング４０と一体に形成した上ボリュート４０ａ１，下ボリュート４０ａ２には、ランナー４２の方向に突出した分離壁４０ｂ１及び４０ｂ２と、分離壁のランナー回転方向に隣接してボリュートの内外を連通する戻り水穴４０ｃ１及び４０ｃ２を備えている。下ボリュート４０ａ２の上端には、水平方向に延びた気泡防止リブ４０ｄを設ける。
　【００３８】
　上下のボリュートの外側には、排出室４０ｉが形成され、この室は上方では大きな容積を有する気水分離室の機能を備えている。
　【００３９】
　気水分離室の一部がモータ保持部の方向に膨出して、前述の冷却用通水路４０ｅを構成する。
　【００４０】
　図６は、図５のＹ−Ｙ線に沿う断面図であり、ケーシングカバー４１と一体に吐出管２６ｂが接続される吐出口４１ａと呼び水ホース３４が接続される呼び水口４１ｂが形成されている。
　【００４１】
　電源スイッチを「入」にして、風呂水コーススタートボタンを押すと、１５秒間給水電磁弁３１に通電され、水道水が給水される。水道水の吐出口からでた水は、呼び水供給口３３の壁に当たり、水道水の一部は呼び水ホース３４を通してケーシングカバー４１の呼び水口４１ｂからポンプ内へ呼び水として供給される。１５秒経過すると給水電磁弁３１の通電が停止し、ポンプ２６が起動される。
　【００４２】
　モータ４３が回転すると、モータシャフト４３，カップリング４５，ランナーシャフト４９を介して、ランナー４２がＰ方向に回転する。ランナー４２の回転により吸込室４１ｄは負圧となり、吸水口２６ａに接続された吸水ホース２７内の空気を吸い込み吐出口４０ｉから排出しながら風呂水を吸水する。この時ランナー４２内に吸い込まれた空気は、分離壁４０ｂ１，分離壁４０ｂ２，戻り水穴４０ｃ１，戻り水穴４０ｃ２，気泡防止リブ４０ｄの効果により、短時間で空気と水を分離する構造としている。また、冷却水路４０ｅには吸水された風呂水が循環し、モータを冷却するとともに、モータの騒音を吸収している。吸込室４１ｄと排出室４０ｉを分離する仕切り板４４のリブ４４ａは、ケーシング４１の吸込室形成壁４１ｃとはラビリンス構造で取り付けられている。またランナー先端部４２ａと仕切り板４４のギャップｍは１ｍｍ以上とし、ランナー４２，平面部４２ｂと仕切り板４４のギャップは０．６〜１．３ｍｍにしている。吸水された風呂水は、従来のこの種ポンプと同様の送水方法によりランナー４２を介して排出室４０ｉに送られ、排出室４０ｉに送られた風呂水は、その後、風呂水吐出管２６ｂを介して洗濯槽８内に供給される。
　【００４３】
　【発明の効果】
　以上本発明によれば、風呂水吸水ポンプ運転時に給水電磁弁より、自動的に呼び水を行わせることにより、１回目の使用から、使用者が呼び水する必要がなく、しかも、ポンプのケーシング内の呼び水の漏れを防止する、逆止弁に不具合が生じた場合も吸水運転に支障がなく、使い勝手が良く、信頼性の高い風呂水吸水ポンプを提供できる。また、給水電磁弁の吐出口と呼び水供給口一定の空間距離を設けてあるので、風呂水の水道管への逆流のない安全な方式となる。
【図面の簡単な説明】
　【図１】
　本発明の全自動洗濯機の一実施例を示す全体的内部構造説明図である。
　【図２】
　バックパネルを取り除いてその内部構造を示した平面図である。
　【図３】
　図２のＸ−Ｘ線に沿う断面図である。
　【図４】
　風呂水吸水ポンプの内部構造を示す縦断面図である。
　【図５】
　ケーシングカバー及び仕切り板を除去してポンプ内部を示す正面図である。
　【図６】
　図５のＹ−Ｙ線に沿う断面図である。
　【符号の説明】
　１…トップカバー、８…洗濯槽（洗濯兼脱水槽）、２５…バックパネル、２６…風呂水吸水ポンプ、３１…給水電磁弁、３３…呼び水供給口、３４…呼び水ホース。